(57)【要約】【課題】収穫物タンクの上方に近接する位置に配置した案内ダクトに阻害されることなく収穫物タンクを排出姿勢に設定できる収穫機を構成する。【解決手段】フィーダＣの搬送終端部からトウモロコシが供給される収穫物タンク４が、揺動軸芯Ｑを中心にして貯留姿勢と排出姿勢とに姿勢切換自在に支持されている。フィーダＣから排出される非収穫物を収穫物タンク４の外方に排出する案内ダクト５８が、作業時において収穫物タンク４の上部開口に近接する作業位置Ｍと、収穫物タンク４が排出姿勢に設定される際に収穫物タンク４との接触を回避する待避位置Ｈとに切換自在に備えられた。【選択図】図１０
2013192475.tif 000002
【特許請求の範囲】
【請求項１】
収穫部で収穫された収穫物を搬送機構で上方に搬送し、この搬送機構の搬送終端部から収穫物タンクの上部開口に落下供給して貯留する収穫機であって、
前記収穫物タンクが、前記収穫物を貯留する貯留姿勢と、前記収穫物の排出を行う排出姿勢とに姿勢切換自在に構成され、
前記搬送機構の搬送終端位置に、この搬送機構から収穫物とともに排出される非収穫物を前記収穫物タンクの前記上部開口より外方に案内する案内ダクトを備えると共に、この案内ダクトを支持する支持機構を備え、
前記支持機構は前記案内ダクトを、作業時に設定される作業位置と、前記収穫物タンクが前記貯留姿勢から前記排出姿勢に切り換えられる際に前記収穫物タンクとの接触を回避する待避位置とに位置変更自在に支持する収穫機。
【請求項２】
前記収穫物タンクが前記貯留姿勢から前記排出姿勢へ姿勢が切り換えられる際に、この姿勢の切換に連係して、前記案内ダクトを前記作業位置から前記待避位置に変位させる連係作動機構を備えている請求項１記載の収穫機。
【請求項３】
前記連係作動機構が、前記収穫物タンクの姿勢切換時の移動力を前記案内ダクトに伝えることで、前記案内ダクトを前記待避位置に変位させるワイヤを備えて構成されている請求項２記載の収穫機。
【請求項４】
前記案内ダクトが、平面視において前記収穫物タンクの上方に重なる位置に配置されている請求項１〜３のいずれか一項に記載の収穫機。
【請求項５】
前記支持機構が、前記案内ダクトを前記作業位置より前記収穫物タンクに近接する格納位置に変位自在に支持するように構成されている請求項１〜４のいずれか一項に記載の収穫機。
【請求項６】
前記支持機構が、切換軸芯を中心にした揺動により、前記案内ダクトを前記作業位置と、前記待避位置とに切換自在に支持する軸支構成を有している請求項１〜４のいずれか一項に記載の収穫機。
【請求項７】
前記収穫物タンクが、揺動軸芯を中心にした揺動により前記貯留姿勢と前記排出姿勢とに切換自在に構成されている請求項１〜６のいずれか一項に記載の収穫機。
【請求項８】
前記案内ダクトが、上壁と、これに連なる側壁とを備えることにより下方に開放する案内空間が形成されている請求項１〜７のいずれか一項に記載の収穫機。
【請求項９】
前記案内ダクトが、前記搬送機構から排出される前記非収穫物の排出方向の延長上に配置される直線部と、この直線部に送られる前記非収穫物を側方に案内する湾曲部とを備えて構成されている請求項８記載の収穫機。
【請求項１０】
前記案内ダクトが、前記湾曲部の半径方向の外周側に前記非収穫物の下方への落下を抑制する落下規制壁を下方位置に形成して構成されている請求項９記載の収穫機。
【請求項１１】
前記搬送機構が、前記搬送終端位置において前記収穫物を送り出すために開放する排出口が形成されると共に、この排出口から前記収穫物とともに排出される非収穫物を風圧により前記案内ダクトの方向に送り出す排塵ファンを備えている請求項１〜１０のいずれか一項に記載の収穫機。
【発明の詳細な説明】
【技術分野】
【０００１】
本発明は、収穫部で収穫された収穫物を搬送機構で上方に搬送し、この搬送機構の搬送終端部から収穫物タンクの上部開口に落下供給して貯留する収穫機に関する。
【背景技術】
【０００２】
上記のように構成された収穫機として特許文献１には、サトウキビを刈り取り、細断し、細断したサトウキビを搬送機構（文献では横搬送部）で斜め上方に搬送し、細断されたサトウキビを搬送終端部から収穫物タンク（文献では収容部）の上部開口に落下供給する構成が記載されている。
【０００３】
この特許文献１では、搬送機構の搬送終端位置から送り出されるサトウキビからトラッシュを分離する手段として、トラッシュを吹き飛ばすシロッコファンと、トラッシュを吸引して排出する軸流ファンと、この軸流ファンで送り出されるトラッシュを後方に案内するダクトとが示されている。
【先行技術文献】
【特許文献】
【０００４】
【特許文献１】特開平１０‐２１５６３３号公報
【発明の概要】
【発明が解決しようとする課題】
【０００５】
搬送機構の搬送終端部から排出される収穫物から茎の一部や葉を除去する構成は、サトウキビ以外を収穫対象とする収穫機にも必要とされる。
【０００６】
具体的例を挙げると、多数の実を内方した房状のトウモロコシを収穫する収穫機では、房状のトウモロコシを収穫する際にトウモロコシの他に茎の細片や葉の一部等が含まれるのが普通であり、このように茎の細片や葉の一部等の非収穫物を収穫物タンクの外方に送り出すため、特許文献１では茎の細片や葉の一部等の非収穫物を高い位置から後方に排出する案内ダクトを備えている。
【０００７】
収穫機の全体的な高さを抑制するために、収穫物タンクの上部開口に近接する位置に案内ダクトを配置することが合理的である。しかしながら、搬送機構からの収穫物を収穫する貯留姿勢と、貯留した収穫物の排出を行う排出姿勢とに切換自在に構成される収穫物タンクを想定すると、姿勢変更時に収穫物タンクに案内ダクトが接触することも考えられ、接触を回避する構成が望まれる。
【０００８】
本発明の目的は、収穫物タンクの上方に近接する位置に案内ダクトを配置した構成であっても、この案内ダクトに阻害されることなく収穫物タンクを排出姿勢に設定できる収穫機を合理的に構成する点にある。
【課題を解決するための手段】
【０００９】
本発明の特徴は、収穫部で収穫された収穫物を搬送機構で上方に搬送し、この搬送機構の搬送終端部から収穫物タンクの上部開口に落下供給して貯留する収穫機であって、
前記収穫物タンクが、前記収穫物を貯留する貯留姿勢と、前記収穫物の排出を行う排出姿勢とに姿勢切換自在に構成され、前記搬送機構の搬送終端位置に、この搬送機構から収穫物とともに排出される非収穫物を前記収穫物タンクの前記上部開口より外方に案内する案内ダクトを備えると共に、この案内ダクトを支持する支持機構を備え、前記支持機構は前記案内ダクトを、作業時に設定される作業位置と、前記収穫物タンクが前記貯留姿勢から前記排出姿勢に切り換えられる際に前記収穫物タンクとの接触を回避する待避位置とに位置変更自在に支持している点にある。
【００１０】
この構成によると、収穫時には収穫物タンクを貯留姿勢に設定し、案内ダクトを作業位置に設定することにより搬送機構で搬送される収穫物は上部開口より収穫物タンクに落下供給される。また、搬送機構の搬送終端部から収穫物とともに排出される非収穫物は案内ダクトにより収穫物タンクの上部開口より外方に排出される。そして、収穫物タンクから収穫物を排出する場合には、案内ダクトを収穫物タンクとの接触を回避する待避位置に設定することにより、収穫物タンクを容易に排出姿勢に設定できる。
従って、収穫物タンクの上方に近接する位置に案内ダクトを配置した構成であっても、この案内ダクトに阻害されることなく収穫物タンクを排出姿勢に設定できる収穫機が構成された。
【００１１】
本発明は、前記収穫物タンクが前記貯留姿勢から前記排出姿勢へ姿勢が切り換えられる際に、この姿勢の切換に連係して、前記案内ダクトを前記作業位置から前記待避位置に変位させる連係作動機構を備えても良い。
【００１２】
これによると、収穫物タンクを貯留姿勢から排出姿勢に切り換えた場合には、この切換に連係して、連係作動機構が案内ダクトを作業位置から待避位置に変更することになり、作業者が人為的に位置変更を行わずに済む。
【００１３】
本発明は、前記連係作動機構が、前記収穫物タンクの姿勢切換時の移動力を前記案内ダクトに伝えることで、前記案内ダクトを前記待避位置に変位させるワイヤを備えて構成されても良い。
【００１４】
これによると、収穫物タンクを貯留姿勢から排出姿勢に切り換えた場合には、ワイヤの操作力により案内ダクトが作業位置から待避位置に変位することになり、案内ダクトを作動させるアクチュエータを備えずに済む。
【００１５】
本発明は、前記案内ダクトが、平面視において前記収穫物タンクの上方に重なる位置に配置されても良い。
【００１６】
これによると、案内ダクトを側方に張り出す位置に配置する必要がないので、この案内ダクトを収穫機の側方に張り出す形態で備えずに済む。
【００１７】
本発明は、前記支持機構が、前記案内ダクトを前記作業位置より前記収穫物タンクに近接する格納位置に変位自在に支持するように構成されても良い。
【００１８】
これによると、案内ダクトを格納位置に変位させることにより、案内ダクトの上方への突出を抑制することが可能となり、梁や桁等の接触を抑制し、例えば、納屋等に収容する際にも納屋等の天井壁などへの接触を回避し、納屋等の格納スペースも小さくする。
【００１９】
本発明は、前記支持機構が、切換軸芯を中心にした揺動により、前記案内ダクトを前記作業位置と、前記待避位置とに切換自在に支持する軸支構成を有しても良い。
【００２０】
これによると、切換軸芯を中心にした揺動により案内ダクトを作業位置と待避位置とに切り換えるので、例えば、スライドする部材やリンク機構により平行に移動する部材等を有する構成と比較して、変位のための構成が簡単になり部品点数も少なくて済む。
【００２１】
本発明は、前記収穫物タンクが、揺動軸芯を中心にした揺動により前記貯留姿勢と前記排出姿勢とに切換自在に構成されても良い。
【００２２】
これによると、揺動軸芯を中心にして収穫物タンクを揺動させる簡単な構成により収穫物タンクを貯留姿勢と排出姿勢とに設定できることになり、収穫物タンクを支持する構成を少ない部品点数で高い強度で構成できる。
【００２３】
本発明は、前記案内ダクトが、上壁と、これに連なる側壁とを備えることにより下方に開放する案内空間が形成されても良い。
【００２４】
これによると、案内空間が上壁と側壁とを備え下方に開放する形状に形成されているので、例えば、底壁を有する構成と比較すると構成が簡単で、非収穫物の詰まりが発生し難いものとなる。
【００２５】
本発明は、前記案内ダクトが、前記搬送機構から排出される前記非収穫物の排出方向の延長上に配置される直線部と、この直線部に送られる前記非収穫物を側方に案内する湾曲部とを備えて構成されても良い。
【００２６】
これによると、搬送機構から排出された非収穫物は、排出方向の延長上の直線部に送り込まれ、次に湾曲部から側方に案内される形態となり、排出された際の速度を利用して側方に排出できる。
【００２７】
本発明は、前記案内ダクトが、前記湾曲部の半径方向の外周側に前記非収穫物の下方への落下を抑制する落下規制壁を下方位置に形成して構成されても良い。
【００２８】
これによると、搬送機構から排出された非収穫物は、直線部から湾曲部に達した際に遠心力により半径方向の外周側に集中して下方に流れ出すことも考えられるが、この下方への流れ出しを落下規制壁が規制して収穫物タンクの内部に入り込む不都合を解消できる。
【００２９】
本発明は、前記搬送機構が、前記搬送終端位置において前記収穫物を送り出すために開放する排出口が形成されると共に、この排出口から前記収穫物とともに排出される非収穫物を風圧により前記案内ダクトの方向に送り出す排塵ファンを備えても良い。
【００３０】
これによると、搬送機構の搬送終端位置の排出口から収穫物が排出される際には、収穫物と共に排出される非収穫物を排塵ファンの風圧により案内ダクトに送り込み、この案内ダクトから排出することが可能となる。
【図面の簡単な説明】
【００３１】
【図１】トウモロコシ収穫機の全体の左側面図である。
【図２】トウモロコシ収穫機の全体の右側面図である。
【図３】トウモロコシ収穫機の全体の平面図である。
【図４】機体フレームの構成を示す平面図である。
【図５】ラダーの支持構造とロック構造とを示す断面図である。
【図６】ラダーの揺動形態を示す平面図である。
【図７】収穫部とフィーダ前端部との搬送構成を示す側面図である。
【図８】フィーダ後端部と細断処理装置と収穫物タンクとを示す側面図である。
【図９】収穫ロールと無端搬送チェーンとの位置関係を示す断面図である。
【図１０】収穫物タンクと案内ダクトとを示す側面図である。
【図１１】収穫物タンクと案内ダクトとを示す後面図である。
【図１２】排出姿勢の収穫物タンクと待避位置の案内ダクトを示す側面図である。
【図１３】別実施形態（ａ）の作動機構を示す側面図である。
【図１４】別実施形態（ｂ）の連動作動機構を示す側面図である。
【発明を実施するための形態】
【００３２】
以下、本発明の実施形態を図面に基づいて説明する。
〔全体構成・収穫作業の概要〕
【００３３】
図１〜図３に収穫機の一例としてのトウモロコシ収穫機を示している。このトウモロコシ収穫機は、収穫物の一例としてのトウモロコシを収穫対象とするものであり、機体フレームＡの前部位置に前車輪１を備え、後部位置に後車輪２を備え、機体フレームＡの前部位置にキャビン３を備えている。また、機体フレームＡの前端に収穫部Ｂを備え、この収穫部Ｂで収穫したトウモロコシを後方上方に搬送する搬送機構としてのフィーダＣを備えている。このトウモロコシ収穫機では、機体フレームＡの後端の収穫物タンク４を備え、前車輪１と後車輪２との中間位置に残稈処理装置Ｄを備えている。
【００３４】
図１、図２、図４に示すように、機体フレームＡは、前後に延びる左右一対の主フレーム６と、この前部位置で前述したキャビン３を支持するように高レベルに備えられるキャビンフレーム７と、主フレーム６の前後方向の中央位置でエンジン類を支持する原動部フレーム８と、主フレーム６の後部位置で収穫物タンク４を支持するタンクフレームＴＦとを連結した構成を有している。主フレーム６の中央位置で原動部フレーム８にエンジン１０が支持され、主フレーム６の前部位置には左右の前車輪１に駆動力を伝える前輪駆動ケース１１が支持され、主フレーム６の後部位置には左右の後車輪２をステアリング作動させるステアリング駆動機構１２が備えられている。尚、収穫物タンク４は、トウモロコシを貯留するために図１０に示す貯留姿勢と、トウモロコシの排出を行うため図１２に示す排出姿勢とに姿勢切換自在に構成されている。
【００３５】
前輪駆動ケース１１にはエンジン１０からの走行伝動機構１３を介して駆動力が伝えられる。主フレーム６の前後方向の中央位置には収穫作業系に駆動力を分配して伝える作業ケース１４が備えられている。作業ケース１４にはエンジン１０から駆動力が作業伝動機構（図示せず）を介して伝えられる。作業ケース１４から収穫部Ｂと、フィーダＣと、残稈処理装置Ｄとに駆動力を伝える伝動機構が形成されている。
【００３６】
構成は詳述しないが、残稈処理装置Ｄは、横向き姿勢の駆動軸に対して複数の破砕刃を、下方に開放する処理ケースの内部に備えた構成を有しており、駆動軸の駆動回転により破砕刃によりトウモロコシが収穫された後の残稈を細断破砕し、土壌に拡散させる処理を行う。
【００３７】
走行伝動機構１３は、動力を伝える無端ベルトを備えると共に、この無端ベルトの張力の設定により動力の断続を行うベルトテンション式の走行クラッチ（図示せず）を備えている。これと同様に作業伝動機構（図示せず）は、動力を伝える無端ベルトを備えると共に、この無端ベルトの張力の設定により動力の断続を行うベルトテンション式の作業クラッチ（図示せず）を備えている。このような構成から、走行クラッチの入り操作により走行機体の走行が可能となり、作業クラッチの入り操作により収穫部Ｂ、フィーダＣ、残稈処理装置Ｄ等の駆動が可能となる。
【００３８】
キャビン３は前面にフロントガラス２１を備え、側部に開閉自在にドア２２を備えている。キャビン３の内部には作業車が着座する運転座席（図示せず）と、ステアリング操作具（図示せず）とが配置され、ステアリング操作具の操向操作に連動して後車輪２のステアリング駆動機構１２が制御される。キャビンフレーム７の左側部には、図１、図３、図５、図６に示すように、縦向き姿勢の姿勢変更軸２３を中心に姿勢変更自在にラダー２４を備えている。
【００３９】
ラダー２４は両側のサイドプレートに挟まれる位置に複数のステップを階段状に備えた一般的な構造を有すると共に、ラダー２４の左右方向の一方に上方に大きく突出する大型の第１手摺２５Ａを備え、他方に小型の第２手摺２５Ｂを備えている。図５に示す如くキャビン３のドア２２の外方には主ステップ２６を備え、この主ステップ２６の外端位置に、前後向き姿勢の揺動支軸２７Ａを中心にして揺動自在に補助ステップ２７を備えている。
【００４０】
ラダー２４は、突出させた突出姿勢と、非使用時において走行機体の前後方向に沿わせる格納姿勢と、これらの中間となる中間姿勢と設定自在に構成されている。この突出姿勢と格納姿勢と中間姿勢とにロックするロックピン２８がロックバネ２８Ａによって突出付勢状態で備えられ、このロックピン２８が係入する３つのロック孔２４Ａがラダー２４に形成されている。主ステップ２６の近傍位置には、このロックピン２８によるロック解除を行うロック解除ペダル２９を備え、このロック解除ペダル２９のアーム部２９Ａはアーム支軸２９Ｂにより主ステップ２６の下側で支持され、踏み込み操作によりロックピン２８をロック孔２４Ａから引き抜く操作力を作用させるように構成されている。
【００４１】
このような構成から、キャビン３に搭乗する際には姿勢変更軸２３を中心にした揺動によりのラダー２４を突出姿勢に設定し、補助ステップ２７を突出姿勢に設定することでロックピン２８が突出姿勢に対応するロック孔２４Ａに係入するロック状態に達する。この姿勢で作業者は第１手摺２５Ａと第２手摺２５Ｂとを握ってラダー２４を登り、補助ステップ２７と主ステップ２６に足を掛ける形態でのキャビン３への搭乗が可能となる。また、作業を行う場合には、作業者がロック解除ペダル２９を踏み込む操作によりロック状態を解除した後に、第１手摺２５Ａ等を作業者が操作してラダー２４を格納姿勢に設定することで、ロックバネ２８Ａの付勢力によりロックピン２８が格納姿勢に対応したロック孔２４Ａに係入する状態に達し、ラダー２４の側方への張り出しが抑制される。
【００４２】
作業者がキャビン３から地上に降りる場合には、ロック解除ペダル２９の踏み込み操作によりロックピン２８によるロック状態を解除し、ラダー２４を突出姿勢に設定し、補助ステップ２７を側方に張り出す姿勢に設定する操作が行われる。尚、このトウモロコシ収穫機を停車させた場合には、ラダー２４はロックピン２８によるロックにより突出姿勢に維持され、補助ステップ２７も側方に突出する姿勢に保持される。
【００４３】
植物としてのトウモロコシは、植立する茎稈に対し収穫時期に多数の実を内包する複数の房状部を作る。この房状部の包葉の内部に多数の種子（穀物としてのトウモロコシ）が含まれ、この種子は棒状の芯の外面に整列する形態で形成される。本発明においてトウモロコシと称する場合には、棒状の芯の外周に多数の種子を備えたもの（収穫物の具体例）を指す。
【００４４】
このトウモロコシ収穫機では、収穫作業時に前車輪１の駆動により走行機体を走行させ、キャビン３の内部のステアリング操作具で後車輪２のステアリング駆動機構１２を制御することにより操向制御が行われる。また、収穫作業時には、収穫部Ｂで収穫したトウモロコシがフィーダＣから収穫物タンク４に搬送され、この収穫物タンク４の上部開口４Ａから内部に落下供給する形態で貯留される。この収穫時に圃場に残された茎稈は残稈処理装置Ｄにより破砕処理される。
【００４５】
収穫物タンク４は、走行機体に対して横向き姿勢の揺動軸芯Ｑを中心にして揺動自在に支持されると共に、この収穫物タンク４の両側部に配置された油圧シリンダ１７の駆動力により、上部開口４Ａが上方に向かう格納姿勢と、図１２に示す如く上部開口４Ａ後方に向かう排出姿勢とに切換自在に構成されている。この収穫物タンク４の姿勢切換構成の詳細は後述する。
【００４６】
〔収穫部〕
収穫部Ｂは、走行機体の前部位置において、横向き姿勢の昇降軸芯Ｐを中心にして揺動自在に支持されると共に、油圧式の昇降シリンダ３１の駆動力により昇降自在となる。
【００４７】
この収穫部Ｂは、図１〜図４、図７、図９に示すように、横方向に並列する３列の導入経路が形成され、各々の導入経路を挟む位置に左右一対の収穫ロール３２を備え、この上部位置に左右一対の無端搬送チェーン３３を備え、上下方向でこれらの中間位置に分離プレート３４を備えている。複数の収穫ロール３２と複数の無端搬送チェーン３３との後方位置にはトウモロコシを横方向の中央位置に移送するオーガ３５を備えている。更に、走行機体の左右方向での中央位置には、オーガ３５の横方向の中央位置に移送されたトウモロコシを、後方上方に搬送するように斜め姿勢となるフィーダＣが備えられている。
【００４８】
収穫ロール３２は、導入経路と平行する姿勢の回転軸芯を中心に回転自在に支持され、前端位置に先細りのスクリュー部３２Ａを備え、これより後方側の外周には複数の収穫羽根３２Ｂを備えている。無端搬送チェーン３３は、多数の突起が形成されると共に、前部位置の前部スプロケットと後部位置の後部スプロケットとに巻回されている。また、収穫ロール３２を駆動すると共に、後部スプロケットの駆動により無端搬送チェーン３３を駆動する駆動ケース３７がオーガ３５の前方位置に配置されている。オーガ３５は、オーガケース３６に収容され、外周にはスクリュー羽根体３５Ａが形成されている。
【００４９】
前述した作業ケース１４からの駆動力を駆動ケース３７と、オーガ３５とに供給することにより、導入経路を挟む位置に配置される一対の収穫ロール３２は、図９に矢印で示す方向に駆動回転され、無端搬送チェーン３３は導入経路に沿って後方（オーガ側）に循環駆動され、オーガ３５はスクリュー羽根体３５Ａで左右方向の中央側にトウモロコシを搬送するように駆動される。
【００５０】
この構成から、導入経路に茎稈が導入された場合には、収穫ロール３２の収穫羽根３２Ｂが茎稈を下方に引く力を継続的に作用させ、茎稈に房状に形成されているトウモロコシを分離プレート３４の上面に接触させ、このトウモロコシを上方に引きちぎる形態で茎稈から分離する。このように分離したトウモロコシは無端搬送チェーン３３でオーガ３５のスクリュー羽根体３５Ａにより走行機体の横幅方向の中央に搬送され、フィーダＣに供給される。
【００５１】
〔フィーダ〕
フィーダＣは、図７及び図８に示すように、前端側の駆動スプロケット４１と、後端側の従動スプロケット４２とに亘ってフィードチェーン４３を巻回し、このフィードチェーン４３に対して設定間隔で複数の搬送プレート４４を備え、これらをフィーダケース４５に内装して構成されている。このフィーダＣは、フィードコンベアとして機能するものであり、フィーダケース４５の後端部には下方に開放する排出口４５Ａが形成され、この排出口４５Ａからトウモロコシ（収穫物の具体例）とともに放出される葉の一部や稈身の一部等の非収穫物を風圧により吹き飛ばす排塵ファンＥがフィーダケース４５の下側に備えられている。
【００５２】
排出口４５Ａは、フィーダケース４５の下壁を取り除くことにより、左右の側壁と、上壁とを残して後方に開放する形態で形成され、この排出口４５Ａの後方で、かつ、フィーダケース４５の後端部にはフィードコンベアによる搬送方向の延長方向に開放する開放空間Ｖが排出口４５Ａと連なる領域に形成されている。尚、開放空間Ｖも後方に開放しており、フィーダケース４５を取り囲む左右の側壁と、上壁とを残して後方に開放する形態で形成され、この開放空間Ｖの内部でフィードチェーン４３の搬送方向の延長上には、比較的大型の葉や稈身等の処理物を排出する排出装置Ｆを備えている。
【００５３】
排塵ファンＥは、ファンケース５１の内部に横向き姿勢のファン軸５２と一体回転する複数の送風翼体５３を備え、送風翼体５３の回転によりファンケース５１の側面から吸引した空気を、ファンケース５１に連設されたダクト部５２Ａから後方上方に送り出すように構成されている。この排塵ファンＥでは、ファン軸５２に対して作業ケース１４からの駆動力が伝えられ、ダクト部５２Ａからの空気の送り出し方向がフィーダケース４５の排出口４５Ａのトウモロコシの放出方向に対して直交する方向に設定されている。
【００５４】
排出装置Ｆは、上下位置に配置される一対の搬送軸５５と一体回転する搬送ローラ５６を備えて構成されている。この排出装置Ｆは搬送プレート４４による非収穫物の搬送方向の延長上に配置され、比較的大型の茎の一部や葉の一部を挟み込み、後方に放擲する形態で排出する機能を有している。
【００５５】
この排出装置Ｆから排出される葉の一部や稈身の一部等の非収穫物を収穫物タンク４の上部開口４Ａより外方に案内する案内ダクト５８が、フィーダケース４５の開放空間Ｖに連なる位置に備えられている。この案内ダクト５８は、排出装置Ｆの後方位置で、平面視において収穫物タンク４の上方に重複する位置に配置されている。また、排塵ファンＥから送り出された空気の一部は、開放空間Ｖの内部に流れ込み、フィーダケース４５の後端から案内ダクト５８の内部に流れ込むように構成されている。
【００５６】
案内ダクト５８は、収穫物タンク４が貯留姿勢にある場合には、収穫物タンク４の上方に近接する作業位置Ｍにセットされ、収穫物タンク４が排出姿勢に切換られた場合に、この収穫物タンク４に接触しない待避位置Ｈに移動させるように作動自在に構成されている。この構成の詳細は後述する。
【００５７】
排塵ファンＥのファン軸５２に対して作業ケース１４からの駆動力が伝えられるベルト式の伝動系が形成されている。また、一対の搬送軸５５に対して排塵ファンＥのファン軸５２から駆動力を伝えるベルト式の伝動系が形成され、排塵ファンＥと排出装置Ｆとが連動して駆動されるように構成されている。
【００５８】
この構成から、収穫作業時にはフィーダＣで搬送されるトウモロコシが排出口４５Ａから収穫物タンク４の上部開口４Ａに落下供給するように排出され、このトウモロコシは収穫物タンク４に貯留される。また、トウモロコシに混ざり込む小さな葉や稈身等の非収穫物が排出口４５Ａから放出される際には、排塵ファンＥからの風圧により吹き飛ばされ、収穫物タンク４の上部開口４Ａに落ち込むことはない。フィーダＣで搬送される比較的大型の葉や稈身等の処理物は排出装置Ｆの一対の搬送ローラ５６の間に挟み込む形態で後方に比較的高速で搬送され、排塵ファンＥからの空気の流れとともに案内ダクト５８により案内される形態で収穫物タンク４の外方に排出される。
【００５９】
このフィーダＣでは非収穫物を一対の搬送ローラ５６で挟持して搬送する構成であるが、この構成に代えて、例えば、非収穫物を細断するカッター類を備えることにより、案内ダクト５８に対して細断された非収穫物を送り込むように構成しても良い。
【００６０】
〔収穫物タンク〕
図１〜図４及び図１０、図１１に示すように、タンクフレームＴＦは、前後一対の横長フレーム６７と、この横長フレーム６７の外端位置同士を連結する縦長フレーム６８とを連結することにより平面視で矩形に構成されている。このタンクフレームＴＦの左右の縦長フレーム６８の後部位置の上面に第１フレーム７１が立設され、この第１フレーム７１の上端部と縦長フレーム６８の上面とに連結する斜め姿勢の第２フレーム７２が備えられている。また、左右の第１フレーム７１の上端部と、後部側の横長フレーム６７の中央部の上面とを結ぶ位置に連結される斜め姿勢の補強フレーム７３が備えられている。
【００６１】
具体的な構成として、縦長フレーム６８の後端位置の上面に第１ブラケット７１Ａが固設され、この第１ブラケット７１Ａに対して第１フレーム７１の下端が連結している。また、縦長フレーム６８の中間位置の上面に対して第２ブラケット７２Ａが固設され、この支持ブラケット７５に対して第２フレーム７２の下端が連結している。更に、後端側の横長フレーム６７の中央位置の上面に補助ブラケット７３Ａが固設され、この補助ブラケット７３Ａに対して一対の補強フレーム７３の下端が連結している。尚、収穫物タンク４を支持するためのフレーム構成は、これに限るものではなく、第１フレーム７１の下端を縦長フレーム６８の上面に対して溶接等の技術により直接的に固定して良く、これと同様に第２フレーム７２の下端を縦長フレーム６８の上面に直接的に固定して良く、補強フレーム７３の下端を横長フレーム６７の上面に直接的に固定しても良い。
【００６２】
左右の第１フレーム７１の上端位置に軸受部７４を備え、この軸受部７４に対して収穫物タンク４の側面に突設した軸部４Ｂが支承されている。特に、収穫物タンク４の左右の側壁の外部には前後に延びる姿勢の補強体４Ｓが備えられ、この補強体４Ｓの後端位置に前述した軸部４Ｂが外方に向けて突設されている。また、左右の軸受部７４を結ぶ直線（左右の軸部４Ｂを結ぶ直線と一致する）が揺動軸芯Ｑとなる。
【００６３】
この第１フレーム７１と第２フレーム７２とでフレームユニットが構成され、第２フレーム７２の下端部の上面に固設された支持体７２Ｂに対して油圧シリンダ１７のシリンダ部１７Ａの下端が揺動自在に支持されている。また、収穫物タンク４の補強体４Ｓに対して側面に支持部材４Ｔが固設され、この支持部材４Ｔに対して単動型の油圧シリンダ１７のピストンロッド部１７Ｂの先端が揺動自在に支持されている。
【００６４】
つまり、第１フレーム７１と第２フレーム７２とで構成されるフレームユニットが機体フレームＡの後端位置の左右の２箇所に配置され、夫々のフレームユニットに油圧シリンダ１７を備えることにより、油圧シリンダ１７は収穫物タンク４を左右から挟み込む位置に配置される。また、左右のフレームユニットの中間の空間に左右のフレームユニットを機体フレームＡに連結するように補強フレーム７３が備えられている。このような構成において、左右の油圧シリンダ１７を収縮状態に設定することで収穫物タンク４を図１０に示す貯留姿勢に維持し、左右の油圧シリンダ１７の駆動により伸長させることで収穫物タンク４を揺動軸芯Ｑを中心にして揺動させて図１２に示す排出姿勢に設定できる。
【００６５】
〔案内ダクト〕
図３、図１０、図１１に示すように、案内ダクト５８は、平面視においてフィーダＣから非収穫物が排出される排出方向の延長上に配置される直線部５８Ａと、この直線部５８Ａで案内される非収穫物を側方に案内する湾曲部５８Ｂと、これに連なる排出案内部５８Ｃとが一体的に形成して内部に案内空間を形成している。この案内ダクト５８は、上壁５８Ｔとこれに連なる一対の側壁５８Ｓとを一体的に形成することにより下方に開放する断面形状を有すると共に、湾曲部の半径方向での外側には非収穫物の下方への落下を抑制する落下規制壁５９を下方位置に形成している。
【００６６】
図３に示すように、案内ダクト５８の直線部５８Ａの案内経路幅は、フィーダＣの後端において排出装置Ｆから非収穫物が排出される排出経路幅より充分に広く設定されている。また、この案内ダクト５８における案内経路幅は、直線部５８Ａの部位が最も広く、経路の下流側ほど狭くなり、排出案内部５８Ｃにおいて最も狭くなるように設定されている。このような構成から、フィーダＣの搬送終端位置から案内ダクト５８に送り込まれた非収穫物は、案内空間の直線部５８Ａにおいて後方に向けて直線的に送られ、湾曲部５８Ｂにおいて流動方向が側方に変更され、更に、排出案内部５８Ｃにおいて側方に排出される。また、この排出案内部５８Ｃの案内経路幅が直線部５８Ａの案内経路幅より狭く設定されているので、排出案内部５８Ｃで空気の流れを高めて高速での排出を実現する。
【００６７】
この案内ダクト５８では、非収穫物を未刈り側に排出するように案内方向が設定されているが、この案内方向を既刈側に設定しても良い。
【００６８】
フィーダＣの後端の近部位置を挟む位置に左右一対の支柱６０が走行機体に立設する状態で備えられている。夫々の支柱６０の上端位置に取り付けた支持アーム部６０Ａに対して横向き姿勢の切換支軸６１を備え、この切換支軸６１の切換軸芯Ｒを中心に回転自在に支持した連結ブラケット６２に案内ダクト５８に連結している。このように切換支軸６１の切換軸芯Ｒを中心にして揺動自在に支持することにより案内ダクト５８は、図１０に示す格納位置Ｌと、作業位置Ｍと、待避位置Ｈとに切換自在に支持されている。また、案内ダクト５８を位置変更自在に支持するための切換支軸６１と連結ブラケット６２とを備えた軸支構成で支持機構Ｔが構成されている。
【００６９】
この収穫機では、収穫物タンク４が貯留姿勢から排出姿勢に切換られた場合に、この切換に連係して案内ダクト５８を作業位置Ｍから待避位置Ｈに切り換える連係作動機構Ｓを備えると共に、収穫物タンク４が貯留姿勢にある状態で、人為操作により案内ダクト５８を格納位置Ｌに作動させる切換レバー６４を備えている。
【００７０】
左右の連結ブラケット６２の一方と一体的に揺動する操作アーム６３を備え、走行機体の後部位置には第２フレーム７２に対して横向き姿勢の軸芯を中心にして揺動自在に切換レバー６４を備えている。切換レバー６４は、人為操作により格納設定位置Ｌａと作業設定位置Ｍａとに切換保持できるようにレバーガイド６５に対して係止自在に備えられている。
【００７１】
連係作動機構Ｓは、インナワイヤ６６Ａとアウタワイヤ６６Ｂとで成る操作ワイヤ６６が用いられ、インナワイヤ６６Ａの一端を収穫物タンク４に連結すると共に、この一端側のアウタワイヤ６６Ｂの端部を切換レバー６４に支持している。また、インナワイヤ６６Ａの他端を操作アーム６３に連結すると共に、この他端側のアウタワイヤ６６Ｂを補強体４Ｓに支持している。
【００７２】
この連係作動機構Ｓでは案内ダクト５８の自重が操作ワイヤ６６に張力を作用させる構成であり、収穫物タンク４を貯留姿勢に設定した場合には、インナワイヤ６６Ａに作用する張力により案内ダクト５８が作業位置Ｍにセットされる。そして、収穫物タンク４を排出姿勢に設定した場合には、図１２に示すように、姿勢の切換に伴うインナワイヤ６６Ａの張力により案内ダクト５８を待避位置Ｈまで案内ダクト５８を揺動させる作動を行わせ、案内ダクト５８に接触させることなく収穫物タンク４を排出姿勢に設定できる。
【００７３】
また、収穫物タンク４が貯留姿勢にある状態で、切換レバー６４を作業設定位置Ｍａから格納設定位置Ｌａに操作した場合には、アウタワイヤ６６Ｂの端部の位置を調節してインナワイヤ６６Ａの張力を低下させるため案内ダクト５８の自重により案内ダクト５８を格納位置Ｌに設定することが可能となる。
【００７４】
つまり、収穫物タンク４が貯留姿勢にある場合に切換レバー６４を作業設定位置Ｍａに設定保持することにより、図１０に示すように、案内ダクト５８が収穫物タンク４の上方に重複する作業位置Ｍに保持される。これによりフィーダＣの搬送後端位置から排出された非収穫物は、案内ダクト５８の内部に送り込まれ、その被収穫物の動慣性と排塵ファンＥからの風とにより案内ダクト５８の内部を流動する形態で送られ、収穫物タンク４の外方に排出することが可能となる。
【００７５】
また、収穫物タンク４が排出姿勢に切り換えられる場合には、この排出姿勢への切換に連係して操作ワイヤ６６のインナワイヤ６６Ａの引き操作力が操作アーム６３に伝えられ、図１２に示す如く、操作アーム６３と、切換支軸６１と、連結ブラケット６２とを切換軸芯Ｒを中心に一体的に回転させ案内ダクト５８を待避位置Ｈに設定できる。このように待避位置Ｈに設定した後に収穫物タンク４を排出姿勢に揺動させても、この収穫物タンク４が案内ダクト５８に接触することがなく円滑な作動を実現する。
【００７６】
更に、収穫物タンク４が貯留姿勢にある状態で切換レバー６４を作業設定位置Ｍａから格納設定位置Ｌａに操作することにより、操作ワイヤ６６のインナワイヤ６６Ｂの張力が低下し、案内ダクト５８が自重により下方に揺動して収穫物タンク４に近接する格納位置Ｌに設定される。このように案内ダクト５８を格納位置Ｌに設定することにより案内ダクト５８の上方への突出量を小さくして走行機体の全体の高さを低くして路上走行時に上下方向への振動を小さくすると共に、地上構造物の梁や桁等の接触を抑制し、納屋等に収容する際にも納屋等の天井壁などへの接触を回避する。
【００７７】
〔実施形態の作用・効果〕
このように本発明のトウモロコシ収穫機では、収穫作業時には収穫部Ｂで収穫されたトウモロコシがフィーダＣで後方上方に搬送され、このフィーダの排出口４５Ａから排出され、上部開口４Ａから収穫物タンク４に落下供給される形態で貯留される。また、排出口４５Ａからトウモロコシが排出される際には、葉の一部や稈身の一部等の非収穫物も排出されるが、これらの非収穫物は排塵ファンＥの風圧により吹き飛ばされ収穫物タンク４の内部に落下することが抑制される。
【００７８】
フィーダＣにはトウモロコシの他に比較的大きいサイズの葉の一部や稈身の一部等の非収穫物が搬送されることもあり、このように比較的大型の非収穫物は、フィーダＣの搬送終端部の排出装置Ｆの一対の搬送ローラ５６に挟持される形態で後方に排出される。この排出速度は比較的高速度であり、排出された非収穫物は案内ダクト５８の直線部５８Ａから湾曲部５８Ｂに送られ、更に、排出案内部５８Ｃから収穫物タンク４の外方に放擲する形態で排出される。
【００７９】
このトウモロコシ収穫機では、例えば、非収穫物を排塵ファンＥの風圧によって吹き飛ばす構成を採用することも考えられるが、風圧によって単純に吹き飛ばす構成では排塵ファンＥから離れる位置ほど風圧が低下し、非収穫物を排出する距離も低下する。これに対して案内ダクト５８を備えることにより排塵ファンＥから送り出される空気の流れの拡がりを抑制し、排塵ファンＥから離れた部位においても高い風圧を作用させて非収穫物の排出を行えるようにしている。
【００８０】
案内ダクト５８は、上壁５８Ｔと側壁５８Ｓとを備え、底壁を備えず下方に開放する構造であるため、排塵ファンＥからの風が開放する下部から搬送経路に流れ込み、非収穫物を送り出す方向へ風圧を作用させるため非収穫物を円滑に排出する。特に、非収穫物が案内ダクト５８に送られる際には、湾曲部５８Ｂに非収穫物に遠心力が作用し、非収穫物が溢れる形態で下方に落下することも考えられるが、この湾曲部５８Ｂの半径方向の外周側に形成された落下規制壁５９により落下が規制され、収穫物タンク４の内部に落下する不都合を招くことはない。
【００８１】
収穫物タンク４の姿勢切換に連係して案内ダクト５８の位置を切り換える連係作動機構Ｓを備えているため、収穫物タンク４が貯留姿勢にある場合には、案内ダクト５８を上部開口４Ａの上方に近接する作業位置Ｍに設定する。また、収穫物タンク４が排出姿勢に切換られる際には、連係作動機構Ｓが収穫物タンク４との接触を回避する待避位置Ｈまで案内ダクト５８を移動させることにより、案内ダクト５８に接触させずに収穫物タンク４の姿勢の切換が実現する。また、切換レバー６４を人為操作することにより案内ダクト５８を作業位置Ｍと格納位置Ｌとに切り換えることも可能となる。
【００８２】
〔別実施形態〕
本発明は、上記した実施形態以外に以下のように構成しても良い。
【００８３】
（ａ）前述した実施形態の操作ワイヤ６６に代え、切換レバー６４の人為操作力をチェーンにより案内ダクト５８に伝えて姿勢変更を行うように作動機構を構成する。
【００８４】
具体的には、図１３に示すように、第１フレーム７１の上端部分に横向き姿勢の軸芯を中心にして回転自在に操作スプロケット８１を備え、この操作スプロケット８１を回転操作するための切換レバー６４を備え、この切換レバー６４を格納設定位置Ｌａと作業設定位置Ｍａと待避設定位置Ｈａとに保持するレバーガイド６５を備える。切換支軸６１に連結することで切換支軸６１と一体回転する作動スプロケット８２を切換軸芯Ｒと同軸芯で備え、操作スプロケット８１と作動スプロケット８２とに亘って無端チェーンとして構成される操作チェーン８３を巻回する。
【００８５】
このように構成することにより、切換レバー６４を作業設定位置Ｍａに設定保持することで案内ダクト５８が作業位置Ｍに保持され、切換レバー６４を待避設定位置Ｈａに操作することによりこの操作力が操作スプロケット８１から操作チェーン８３を介して作動スプロケット８２に伝えられ、切換支軸６１と一体的に操作アーム６３を回転させることで切換軸芯Ｒを中心にした揺動により案内ダクト５８を待避位置Ｈに設定できる。また、切換レバー６４を格納設定位置Ｌａに設定保持することにより、案内ダクト５８が自重により下方に揺動して格納位置にＬに設定される。
【００８６】
この別実施形態（ａ）では、操作スプロケット８１を揺動軸芯Ｑと同軸芯上に配置しているが、揺動軸芯Ｑと離間する位置に配置しても良い。また、この構成において操作スプロケット８１を電動モータ等のアクチュエータで駆動するように構成しても良い。このようにアクチュエータを備えることにより任意のタイミングで案内ダクト５８の位置を変更することも可能となる。
【００８７】
（ｂ）図１４に示すように、収穫物タンク４の貯留姿勢から排出姿勢への切り換えに連係して案内ダクト５８を作業位置Ｍから待避位置Ｈに切り換える連係ワイヤ８５を用いた連係作動機構Ｓを備える。
【００８８】
連係作動機構Ｓを構成する連係ワイヤ８５としてインナワイヤ８５Ａをアウタワイヤ８５Ｂの内部に作動自在に収納した構成のものが使用され、切換支軸６１に形成した操作アーム６３にインナワイヤ８５Ａの一端を連結し、支柱６０に対してアウタワイヤ８５Ｂの一端側を支持している。また、収穫物タンク４の外壁面にインナワイヤ８５Ａの他端を連結し、第１フレーム７１に固設したブラケット８６に対してアウタワイヤ８５Ｂの他端を支持している。
【００８９】
このような構成から、収穫物タンク４を貯留姿勢に設定した場合には、案内ダクト５８が作業位置Ｍにセットされる。そして、収穫物タンク４を排出姿勢に設定した場合には、連係ワイヤ８５の張力により待避位置Ｈまで案内ダクト５８を揺動させる作動を行わせ、案内ダクト５８に接触させることなく収穫物タンク４を排出姿勢に設定できる。
【００９０】
つまり、この別実施形態（ｂ）では、収穫物タンク４を貯留姿勢から排出姿勢に切り換えた場合には、収穫物タンク４の姿勢変更に伴い、連係ワイヤ８５のインナワイヤ８５Ａに作用する張力が操作アーム６３に作用する。この張力の作用により切換支軸６１が回転し、この回転により案内ダクト５８の後端側が上方に持ち上げる形態で揺動して待避位置Ｈに達するのである。
【００９１】
（ｃ）前述した別実施形態（ｂ）に規制した連係作動機構Ｓを電動モータ等のアクチュエータにより案内ダクト５８の位置の切換を行えるように構成する。具体的には、収穫物タンク４の姿勢を検出するセンサを備え、このセンサにより作動開始を検出した場合にアクチュエータを作動させる、あるいは、油圧シリンダ１７を作動させる制御信号の検出に基づいてアクチュエータを作動させる等の制御系を備えて連係作動機構Ｓを構成する。
【００９２】
このように構成することにより、例えば、収穫物タンク４の作動が開始の直前、あるいは、作動開始の早期に案内ダクト５８を作業位置Ｍから待避位置Ｈに切換ることも可能となり、収穫物タンク４と案内ダクト５８との接触を確実に回避させることも可能となる。また、アクチュエータにより案内ダクト５８の切換を行う制御系を備えるものでは任意のタイミングでアクチュエータを作動させて待避位置Ｈに設定することや、格納位置Ｌに設定することも可能となる。
【００９３】
（ｄ）案内ダクト５８をフィーダＣの後端位置に対して姿勢変更自在に支持する。このように構成することにより、案内ダクト５８を支持するための支柱６０が不要となり部品点数の低減が実現する。
【００９４】
（ｅ）収穫物タンク４に貯留されたトウモロコシの排出方向を側方に向けるように、揺動軸芯Ｑを前後向きに設定しても良い。
【産業上の利用可能性】
【００９５】
本発明は、収穫物を上方に搬送して収穫物タンクに貯留する搬送機構を備え、搬送機構の終端部から非収穫物を排出する構成を備え、姿勢変更により収穫物の排出を行う収穫機に利用することができる。
【符号の説明】
【００９６】
４          収穫物タンク
４Ａ        上部開口
４５Ａ      排出口
５８        案内ダクト
５８Ａ      直線部
５８Ｂ      湾曲部
５８Ｔ      上壁
５８Ｓ      側壁
５９        落下規制壁
８５        ワイヤ（連係ワイヤ）
Ｂ          収穫部
Ｃ          搬送機構（フィーダ）
Ｅ          排塵ファン
Ｍ          作業位置
Ｈ          待避位置
Ｌ          格納位置
Ｒ          切換軸芯
Ｓ          連係作動機構
Ｔ          支持機構
【図１】
2013192475.tif 000003
【図２】
2013192475.tif 000004
【図３】
2013192475.tif 000005
【図４】
2013192475.tif 000006
【図５】
2013192475.tif 000007
【図６】
2013192475.tif 000008
【図７】
2013192475.tif 000009
【図８】
2013192475.tif 000010
【図９】
2013192475.tif 000011
【図１０】
2013192475.tif 000012
【図１１】
2013192475.tif 000013
【図１２】
2013192475.tif 000014
【図１３】
2013192475.tif 000015
【図１４】
2013192475.tif 000016